(57)【特許請求の範囲】
【請求項１】
端末装置が、複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断することと、ここにおいて、前記複数のコンポーネントキャリアのためのＡＣＫ／ＮＡＫビットと前記周期ＣＳＩとをマルチプレクスすることが可能にされるかどうかを判断することは、その上で前記ＡＣＫ／ＮＡＫビットと前記周期ＣＳＩとが送信されるコンポーネントキャリアの半静的構成に少なくとも部分的に基づく、
前記端末装置が、前記周期ＣＳＩのペイロードサイズと前記判断された容量とに少なくとも部分的に基づいてＡＣＫ／ＮＡＫビット数についてのしきい値を判断することと、
前記端末装置が、前記ＡＣＫ／ＮＡＫビット数が前記判断されたしきい値よりも大きいとき、ＡＣＫ／ＮＡＫビットをバンドルすることと、
前記端末装置が、前記制御チャネルを使用して前記ＡＣＫ／ＮＡＫビットと前記周期ＣＳＩとを送信することと
を備える、ワイヤレス通信の方法。
【請求項２】
前記ペイロードサイズが実際の周期ＣＳＩペイロードサイズを備え、
前記実際の周期ＣＳＩペイロードサイズが、広帯域チャネル品質インジケータ（ＣＱＩ）、サブバンドＣＱＩ、プリコーディング行列インジケータ（ＰＭＩ）、ランクインジケータ（ＲＩ）、またはプリコーディングタイプインジケータ（ＰＴＩ）のサイズに等しい、請求項１に記載の方法。
【請求項３】
サブフレーム中の前記周期ＣＳＩが前記複数のコンポーネントキャリアのうちの１つのコンポーネントキャリアのためのものである、請求項１に記載の方法。
【請求項４】
前記しきい値がサブフレームにわたって変動する、請求項１に記載の方法。
【請求項５】
前記端末装置が前記バンドルすることが空間バンドリングを備える、請求項１に記載の方法。
【請求項６】
前記端末装置が前記バンドルすることが、時間領域バンドリングまたはコンポーネントキャリアバンドリングのうちの少なくとも１つを備える、請求項１に記載の方法。
【請求項７】
前記端末装置が前記バンドルすることが、前記端末装置が、サブフレームのサブセットまたはコンポーネントキャリアのサブセットのうちの少なくとも１つにわたってバンドルすることを備える、請求項１に記載の方法。
【請求項８】
前記端末装置が前記容量を前記判断することは、
前記端末装置が、前記複数のコンポーネントキャリアのためのＡＣＫ／ＮＡＫビットと前記周期ＣＳＩとをマルチプレクスすることが可能にされるかどうかに少なくとも部分的に基づいて前記制御チャネルの第１の容量を判断することと、
前記端末装置が、前記複数のコンポーネントキャリアのためのＡＣＫ／ＮＡＫビットと前記周期ＣＳＩとをマルチプレクスすることが可能にされないかどうかに少なくとも部分的に基づいて前記制御チャネルの第２の容量を判断することと、前記第１の容量が前記第２の容量よりも大きい、
を備える、請求項１に記載の方法。
【請求項９】
前記ＡＣＫ／ＮＡＫビットが、前記複数のコンポーネントキャリアのうちの少なくとも１つのコンポーネントキャリア中の複数のサブフレームのためのものである、請求項１に記載の方法。
【請求項１０】
前記端末装置が、前記制御チャネルを介してスケジューリング要求（ＳＲ）を送信することをさらに備える、請求項１に記載の方法。
【請求項１１】
メモリと、
前記メモリに結合された少なくとも１つのプロセッサと
を備える、ワイヤレス通信のための装置であって、前記少なくとも１つのプロセッサは、
複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断することと、前記複数のコンポーネントキャリアのためのＡＣＫ／ＮＡＫビットと前記周期ＣＳＩとをマルチプレクスすることが可能にされるかどうかに少なくとも部分的に基づいて前記制御チャネルの第１の容量を判断することと、前記複数のコンポーネントキャリアのためのＡＣＫ／ＮＡＫビットと前記周期ＣＳＩとをマルチプレクスすることが可能にされないかどうかに少なくとも部分的に基づいて前記制御チャネルの第２の容量を判断することと、前記第１の容量が前記第２の容量よりも大きい、によって判断する、
前記周期ＣＳＩのペイロードサイズと前記判断された容量とに少なくとも部分的に基づいてＡＣＫ／ＮＡＫビット数についてのしきい値を判断することと、
前記ＡＣＫ／ＮＡＫビット数が前記判断されたしきい値よりも大きいとき、ＡＣＫ／ＮＡＫビットをバンドルすることと、
前記制御チャネルを使用して前記ＡＣＫ／ＮＡＫビットと前記周期ＣＳＩとを送信することと、
その上で前記ＡＣＫ／ＮＡＫビットと前記周期ＣＳＩとが送信されるコンポーネントキャリアの半静的構成に少なくとも部分的に基づいて、前記複数のコンポーネントキャリアのためのＡＣＫ／ＮＡＫビットと前記周期ＣＳＩとをマルチプレクスすることが可能にされるかどうかを判断することと
を行うように構成された、装置。
【請求項１２】
前記ペイロードサイズが実際の周期ＣＳＩペイロードサイズを備え、
前記実際の周期ＣＳＩペイロードサイズが、広帯域チャネル品質インジケータ（ＣＱＩ）、サブバンドＣＱＩ、プリコーディング行列インジケータ（ＰＭＩ）、ランクインジケータ（ＲＩ）、またはプリコーディングタイプインジケータ（ＰＴＩ）のサイズに等しい、請求項１１に記載の装置。
【請求項１３】
サブフレーム中の前記周期ＣＳＩが前記複数のコンポーネントキャリアのうちの１つのコンポーネントキャリアのためのものである、請求項１１に記載の装置。
【請求項１４】
前記しきい値がサブフレームにわたって変動する、請求項１１に記載の装置。
【請求項１５】
前記少なくとも１つのプロセッサが、空間バンドリングを介して前記ＡＣＫ／ＮＡＫビットをバンドルするようにさらに構成された、請求項１１に記載の装置。
【請求項１６】
前記少なくとも１つのプロセッサが、時間領域バンドリングまたはコンポーネントキャリアバンドリングのうちの少なくとも１つを介して前記ＡＣＫ／ＮＡＫビットをバンドルするようにさらに構成された、請求項１１に記載の装置。
【請求項１７】
前記少なくとも１つのプロセッサが、サブフレームのサブセットまたはコンポーネントキャリアのサブセットのうちの少なくとも１つにわたって前記ＡＣＫ／ＮＡＫビットをバンドルするようにさらに構成された、請求項１１に記載の装置。
【請求項１８】
前記ＡＣＫ／ＮＡＫビットが、前記複数のコンポーネントキャリアのうちの少なくとも１つのコンポーネントキャリア中の複数のサブフレームのためのものである、請求項１１に記載の装置。
【請求項１９】
前記少なくとも１つのプロセッサが、前記制御チャネルを介してスケジューリング要求（ＳＲ）を送信するようにさらに構成された、請求項１１に記載の装置。
【請求項２０】
複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断するための手段と、ここにおいて、前記複数のコンポーネントキャリアのためのＡＣＫ／ＮＡＫビットと前記周期ＣＳＩとをマルチプレクスすることが可能にされるかどうかを判断することは、その上で前記ＡＣＫ／ＮＡＫビットと前記周期ＣＳＩとが送信されるコンポーネントキャリアの半静的構成に少なくとも部分的に基づく、
前記周期ＣＳＩのペイロードサイズと前記判断された容量とに少なくとも部分的に基づいてＡＣＫ／ＮＡＫビット数についてのしきい値を判断するための手段と、
前記ＡＣＫ／ＮＡＫビット数が前記判断されたしきい値よりも大きいとき、ＡＣＫ／ＮＡＫビットをバンドルするための手段と、
前記制御チャネルを使用して前記ＡＣＫ／ＮＡＫビットと前記周期ＣＳＩとを送信するための手段と
を備える、ワイヤレス通信のための装置。
【請求項２１】
プログラムコードを記録したコンピュータ可読記憶媒体であって、前記プログラムコードは、
コンピュータに、複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断させるためのプログラムコードと、前記複数のコンポーネントキャリアのためのＡＣＫ／ＮＡＫビットと前記周期ＣＳＩとをマルチプレクスすることが可能にされるかどうかに少なくとも部分的に基づいて前記制御チャネルの第１の容量を判断することと、前記複数のコンポーネントキャリアのためのＡＣＫ／ＮＡＫビットと前記周期ＣＳＩとをマルチプレクスすることが可能にされないかどうかに少なくとも部分的に基づいて前記制御チャネルの第２の容量を判断することと、前記第１の容量が前記第２の容量よりも大きい、によって判断する、
前記コンピュータに、前記周期ＣＳＩのペイロードサイズと前記判断された容量とに少なくとも部分的に基づいてＡＣＫ／ＮＡＫビット数についてのしきい値を判断させるためのプログラムコードと、
前記コンピュータに、前記ＡＣＫ／ＮＡＫビット数が前記判断されたしきい値よりも大きいとき、ＡＣＫ／ＮＡＫビットをバンドルさせるためのプログラムコードと、
前記コンピュータに、前記制御チャネルを使用して前記ＡＣＫ／ＮＡＫビットと前記周期ＣＳＩとを送信させるためのプログラムコードと、
前記コンピュータに、その上で前記ＡＣＫ／ＮＡＫビットと前記周期ＣＳＩとが送信されるコンポーネントキャリアの半静的構成に少なくとも部分的に基づいて、前記複数のコンポーネントキャリアのためのＡＣＫ／ＮＡＫビットと前記周期ＣＳＩとをマルチプレクスすることが可能にされるかどうかを判断させるためのプログラムコードと
を備える、コンピュータ可読記憶媒体。
【請求項２２】
メモリと、
前記メモリに結合された少なくとも１つのプロセッサと
を備える、ワイヤレス通信のための装置であって、前記少なくとも１つのプロセッサは、
複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断することと、ここにおいて、前記複数のコンポーネントキャリアのためのＡＣＫ／ＮＡＫビットと前記周期ＣＳＩとをマルチプレクスすることが可能にされるかどうかを判断することは、その上で前記ＡＣＫ／ＮＡＫビットと前記周期ＣＳＩとが送信されるコンポーネントキャリアの半静的構成に少なくとも部分的に基づく、
前記周期ＣＳＩのペイロードサイズと前記判断された容量とに少なくとも部分的に基づいてＡＣＫ／ＮＡＫビット数についてのしきい値を判断することと、
前記ＡＣＫ／ＮＡＫビット数が前記判断されたしきい値よりも大きいとき、ＡＣＫ／ＮＡＫビットをバンドルすることと、
前記制御チャネルを使用して前記ＡＣＫ／ＮＡＫビットと前記周期ＣＳＩとを送信することと
を行うように構成された、装置。
【発明の詳細な説明】
【技術分野】
【０００１】
関連出願の相互参照
[0001]本出願は、開示の全体が参照により本明細書に明確に組み込まれる、２０１２年３月２８日に出願された「CHANNEL STATE INFORMATION DEPENDENT ACKNAK BUNDLING IN LTE」と題する米国仮特許出願第６１／６１６，９５１号、および２０１２年３月３０日に出願された「CHANNEL STATE INFORMATION DEPENDENT ACK/NAK BUNDLING IN LTE」と題する米国仮特許出願第６１／６１８，５７７号に対する米国特許法第１１９条（ｅ）項に基づく利益を主張する。
【０００２】
[0002]本開示の態様は、一般にワイヤレス通信システムに関し、より詳細には、ワイヤレス通信におけるＡＣＫ／ＮＡＫバンドリングに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションシステム（ＵＭＴＳ：Universal Mobile Telecommunication System）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
[0005]ここでは、以下の発明を実施するための形態がより良く理解され得るように、本開示の特徴および技術的利点についてやや広く概説した。以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【発明の概要】
【０００６】
[0006]本開示の一態様では、ワイヤレス通信の方法を開示する。本方法は、コンポーネントキャリアのセットのための肯定応答／否定応答（ＡＣＫ／ＮＡＫ）ビットと周期（periodic）チャネル状態情報（ＣＳＩ：channel state information）とのマルチプレクス（multiplexing）が可能にされるかどうかに少なくとも部分的に基づいて制御チャネルの容量（capacity）を判断することを含む。本方法はまた、周期ＣＳＩのペイロードサイズ（payload size）と判断された容量とに少なくとも部分的に基づいてＡＣＫ／ＮＡＫビット数についてのしきい値を判断することを含む。本方法は、ＡＣＫ／ＮＡＫビット数が判断されたしきい値よりも大きいとき、ＡＣＫ／ＮＡＫビットをバンドルすること（bundling）をさらに含む。本方法は、制御チャネルを使用してＡＣＫ／ＮＡＫビットと周期ＣＳＩとを送信することをまたさらに含む。
【０００７】
[0007]本開示の別の態様は、複数のコンポーネントキャリアのためのＡＣＫ／ＮＡＫビットと周期ＣＳＩとのマルチプレクスが可能にされるかどうかに少なくとも部分的に基づいて制御チャネルの容量を判断するための手段を含む装置を開示する。本装置はまた、周期ＣＳＩのペイロードサイズと判断された容量とに少なくとも部分的に基づいてＡＣＫ／ＮＡＫビット数についてのしきい値を判断するための手段を含む。本装置は、ＡＣＫ／ＮＡＫビット数が判断されたしきい値よりも大きいとき、ＡＣＫ／ＮＡＫビットをバンドルするための手段をさらに含む。本装置は、制御チャネルを使用してＡＣＫ／ＮＡＫビットと周期ＣＳＩとを送信するための手段をまたさらに含む。
【０００８】
[0008]別の態様では、非一時的コンピュータ可読媒体を有するワイヤレスネットワークにおけるワイヤレス通信のためのコンピュータプログラム製品が開示される。コンピュータ可読媒体は非一時的プログラムコードを記録している。（１つまたは複数の）プロセッサによって実行されたとき、コードは、（１つまたは複数の）プロセッサに、複数のコンポーネントキャリアのためのＡＣＫ／ＮＡＫビットと周期ＣＳＩとのマルチプレクスが可能にされるかどうかに少なくとも部分的に基づいて制御チャネルの容量を判断する動作を実行させる。プログラムコードはまた、（１つまたは複数の）プロセッサに、周期ＣＳＩのペイロードサイズと判断された容量とに少なくとも部分的に基づいてＡＣＫ／ＮＡＫビット数についてのしきい値を判断することを行わせる。プログラムコードは、（１つまたは複数の）プロセッサに、ＡＣＫ／ＮＡＫビット数が判断されたしきい値よりも大きいとき、ＡＣＫ／ＮＡＫビットをバンドルすることをさらに行わせる。プログラムコードは、（１つまたは複数の）プロセッサに、制御チャネルを使用してＡＣＫ／ＮＡＫビットと周期ＣＳＩとを送信することをまたさらに行わせる。
【０００９】
[0009]別の態様は、メモリと、メモリに結合された少なくとも１つのプロセッサとを有するワイヤレス通信を開示する。（１つまたは複数の）プロセッサは、複数のコンポーネントキャリアのためのＡＣＫ／ＮＡＫビットと周期ＣＳＩとのマルチプレクスが可能にされるかどうかに少なくとも部分的に基づいて制御チャネルの容量を判断するように構成される。（１つまたは複数の）プロセッサはまた、周期ＣＳＩのペイロードサイズと判断された容量とに少なくとも部分的に基づいてＡＣＫ／ＮＡＫビット数についてのしきい値を判断するように構成される。（１つまたは複数の）プロセッサは、ＡＣＫ／ＮＡＫビット数が判断されたしきい値よりも大きいとき、ＡＣＫ／ＮＡＫビットをバンドルするようにさらに構成される。（１つまたは複数の）プロセッサは、制御チャネルを使用してＡＣＫ／ＮＡＫビットと周期ＣＳＩとを送信するようにまたさらに構成される。
【００１０】
[0010]以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００１１】
[0011]本開示の特徴、特性、および利点は、全体を通じて同様の参照符号が同様のものを指す図面とともに、以下に記載する発明を実施するための形態を読めばより明らかになろう。
【図面の簡単な説明】
【００１２】
【図１】[0012]ネットワークアーキテクチャの一例を示す図。
【図２】[0013]アクセスネットワークの一例を示す図。
【図３】[0014]ＬＴＥにおけるダウンリンクフレーム構造の一例を示す図。
【図４】[0015]ＬＴＥにおけるアップリンクフレーム構造の一例を示す図。
【図５】[0016]ユーザプレーンおよび制御プレーンのための無線プロトコルアーキテクチャの一例を示す図。
【図６】[0017]アクセスネットワーク中の発展型ノードＢおよびユーザ機器の一例を示す図。
【図７Ａ】[0018]連続（continuous）キャリアアグリゲーションタイプを開示する図。
【図７Ｂ】[0019]非連続（non-continuous）キャリアアグリゲーションタイプを開示する図。
【図８】[0020]ＭＡＣレイヤデータアグリゲーションを開示する図。
【図９】[0021]複数キャリア構成において無線リンクを制御するための方法を示すブロック図。
【図１０】[0022]ＬＴＥにおいてバンドルするための方法を示すブロック図。
【図１１】[0023]例示的な装置中の異なるモジュール／手段／構成要素間のデータフローを示す概念データフロー図。
【発明を実施するための形態】
【００１３】
[0024]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１４】
[0025]様々な装置および方法に関して電気通信システムの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１５】
[0026]例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１６】
[0027]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００１７】
[0028]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１８】
[0001]Ｅ−ＵＴＲＡＮは、発展型ノードＢ（ｅノードＢ）１０６と他のｅノードＢ１０８とを含む。ｅノードＢ１０６は、ＵＥ１０２に対してユーザプレーンプロトコル終端と制御プレーンプロトコル終端とを与える。ｅノードＢ１０６は、バックホール（たとえば、Ｘ２インターフェース）を介して他のｅノードＢ１０８に接続され得る。ｅノードＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅノードＢ１０６は、ＵＥ１０２にＥＰＣ１１０へのアクセスポイントを与える。ＵＥ１０２の例には、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１９】
[0029]ｅノードＢ１０６は、たとえば、Ｓ１インターフェースを介して、ＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２０】
[0002]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅノードＢ２０８は、セル２０２のうちの１つまたは複数と重複するセルラー領域２１０を有し得る。より低い電力クラスのｅノードＢ２０８は、リモートラジオヘッド（ＲＲＨ：remote radio head）、フェムトセル（たとえば、ホームｅノードＢ（ＨｅＮＢ：home eNodeB））、ピコセル、またはマイクロセルであり得る。マクロｅノードＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラ（centralized controller）はないが、代替構成では集中コントローラが使用され得る。ｅノードＢ２０４は、無線ベアラ制御、承認制御、モビリティ制御、スケジューリング、セキュリティ、およびサービングゲートウェイ１１６への接続性を含む、すべての無線関係機能を担当する。
【００２１】
[0030]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがダウンリンク上で使用され、ＳＣ−ＦＤＭＡがアップリンク上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータ最適化（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２２】
[0031]ｅノードＢ２０４は、ＭＩＭＯ技術をサポートする複数のアンテナを有し得る。ＭＩＭＯ技術の使用により、ｅノードＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでダウンリンク上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。アップリンク上で、各ＵＥ２０６は、空間的にプリコーディングされたデータストリームを送信し、これにより、ｅノードＢ２０４は、空間的にプリコーディングされた各データストリームのソースを識別することが可能になる。
【００２３】
[0032]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２４】
[0033]以下の詳細な説明では、ダウンリンク上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２５】
[0034]図３は、ＬＴＥにおけるダウンリンクフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはダウンリンク基準信号（ＤＬ−ＲＳ：downlink reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２６】
[0035]図４は、ＬＴＥにおけるアップリンクフレーム構造の一例を示す図４００である。アップリンクのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。アップリンクフレーム構造は、データセクション中の連続するサブキャリアのすべてを単一のＵＥに割り当てることを可能にし得る連続サブキャリアを含むデータセクションを生じる。
【００２７】
[0036]ＵＥには、ｅノードＢに制御情報を送信するために、制御セクション中のリソースブロック４１０ａ、４１０ｂが割り当てられ得る。ＵＥには、ｅノードＢにデータを送信するために、データセクション中のリソースブロック４２０ａ、４２０ｂも割り当てられ得る。ＵＥは、制御セクション中の割り当てられたリソースブロック上の物理アップリンク制御チャネル（ＰＵＣＣＨ：physical uplink control channel）中で制御情報を送信し得る。ＵＥは、データセクション中の割り当てられたリソースブロック上の物理アップリンク共有チャネル（ＰＵＳＣＨ：physical uplink shared channel）中でデータのみまたはデータと制御情報の両方を送信し得る。アップリンク送信は、サブフレームの両方のスロットにわたり得、周波数上でホッピングし得る。
【００２８】
[0037]初期システムアクセスを実行し、物理ランダムアクセスチャネル（ＰＲＡＣＨ：physical random access channel）４３０中でアップリンク同期を達成するためにリソースブロックのセットが使用され得る。ＰＲＡＣＨ４３０は、ランダムシーケンスを搬送し、いかなるアップリンクデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２９】
[0038]図５は、ＬＴＥにおけるユーザプレーンおよび制御プレーンのための無線プロトコルアーキテクチャの一例を示す図５００である。ＵＥおよびｅノードＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅノードＢとの間のリンクを担当する。
【００３０】
[0039]ユーザプレーンでは、Ｌ２レイヤ５０８は、ネットワーク側のｅノードＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３１】
[0040]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ｅノードＢ間のＵＥに対するハンドオーバサポートとを行う。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３２】
[0041]制御プレーンでは、ＵＥおよびｅノードＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅノードＢとＵＥとの間のＲＲＣシグナリングを使用して下位レイヤを構成することとを担当する。
【００３３】
[0042]図６は、アクセスネットワーク中でＵＥ６５０と通信しているｅノードＢ６１０のブロック図である。ダウンリンクでは、コアネットワークからの上位レイヤパケットが、コントローラ／プロセッサ６７５に与えられる。コントローラ／プロセッサ６７５は、Ｌ２レイヤの機能を実装する。ダウンリンクでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３４】
[0043]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調方式を判断するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００３５】
[0044]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅノードＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅノードＢ６１０によって最初に送信されたデータおよび制御信号を復元するために復号され、デインターリーブされる。データおよび制御信号は、次いでコントローラ／プロセッサ６５９に与えられる。
【００３６】
[0045]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。アップリンクでは、コントローラ／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３７】
[0046]アップリンクでは、データソース６６７は、コントローラ／プロセッサ６５９に上位レイヤパケットを与えるために使用される。データソース６６７は、Ｌ２レイヤの上のすべてのプロトコルレイヤを表す。ｅノードＢ６１０によるダウンリンク送信に関して説明した機能と同様に、コントローラ／プロセッサ６５９は、ヘッダ圧縮と、暗号化と、パケットのセグメント化および並べ替えと、ｅノードＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅノードＢ６１０へのシグナリングとを担当する。
【００３８】
[0047]ｅノードＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３９】
[0048]アップリンク送信は、ＵＥ６５０における受信機機能に関して説明した方法と同様の方法でｅノードＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４０】
[0049]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。アップリンクでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４１】
[0050]ＬＴＥアドバンストモバイルシステムのために、２つのタイプのキャリアアグリゲーション（ＣＡ）方法、すなわち、連続ＣＡおよび非連続ＣＡが提案されている。それらを図７Ａおよび図７Ｂに示す。非連続ＣＡは、複数の利用可能なコンポーネントキャリアが周波数帯域に沿って分離されたときに生じる（図７Ｂ）。一方、連続ＣＡは、複数の利用可能なコンポーネントキャリアが互いに隣接するときに生じる（図７Ａ）。非連続ＣＡと連続ＣＡの両方は、ＬＴＥアドバンストＵＥの単一ユニットを処理する（serve）ために複数のＬＴＥ／コンポーネントキャリアをアグリゲートする。
【００４２】
[0051]ＬＴＥアドバンストＵＥにおける非連続ＣＡでは、周波数帯域に沿ってキャリアが分離されるので、複数のＲＦ受信ユニットと複数のＦＦＴとが配備され得る。非連続ＣＡは、大きい周波数範囲にわたる複数の分離されたキャリア上でのデータ送信をサポートするので、周波数帯域が異なると、伝搬経路損失、ドップラーシフトおよび他の無線チャネル特性が大いに変わり得る。
【００４３】
[0052]したがって、非連続ＣＡ手法の下でブロードバンドデータ送信をサポートするために、異なるコンポーネントキャリアのためのコーディング、変調および送信電力を適応的に調整するための方法が使用され得る。たとえば、拡張ノードＢ（ｅノードＢ）が各コンポーネントキャリア上の送信電力を固定しているＬＴＥアドバンストシステムでは、各コンポーネントキャリアの有効カバレージまたはサポート可能な変調およびコーディングが異なり得る。
【００４４】
[0053]図８に、ＩＭＴアドバンストシステムのために媒体アクセス制御（ＭＡＣ）レイヤにおいて異なるコンポーネントキャリアからの送信ブロック（ＴＢ：transmission block）をアグリゲートすることを示す。ＭＡＣレイヤデータアグリゲーションでは、各コンポーネントキャリアは、ＭＡＣレイヤ中にそれ自体の独立したハイブリッド自動再送要求（ＨＡＲＱ）エンティティを有し、物理レイヤ中にそれ自体の送信構成パラメータ（たとえば、送信電力、変調およびコーディング方式、ならびに複数のアンテナ構成）を有する。同様に、物理レイヤでは、コンポーネントキャリアごとに１つのＨＡＲＱエンティティが与えられる。
【００４５】
[0054]概して、複数のコンポーネントキャリアのための制御チャネルシグナリングを展開するための３つの異なる手法がある。第１は、ＬＴＥシステムにおける制御構造の軽微な変更を伴い、そこで各コンポーネントキャリアは、それ自体のコード化制御チャネルを与えられる。
【００４６】
[0055]第２の方法は、異なるコンポーネントキャリアの制御チャネルをジョイントコーディングし（jointly coding）、専用のコンポーネントキャリア中に制御チャネルを展開することを伴う。複数のコンポーネントキャリアのための制御情報は、この専用制御チャネルでは、シグナリングコンテンツとして統合されることになる。その結果、ＬＴＥシステムにおける制御チャネル構造との逆方向互換性（backward compatibility）が維持されながら、ＣＡのシグナリングオーバーヘッドが低減する。
【００４７】
[0056]異なるコンポーネントキャリアのための複数の制御チャネルは、ジョイントコーディングされ、次いで、第３のＣＡ方法によって形成された全体の周波数帯域にわたって送信される。この手法は、ＵＥ側における高い電力消費量という犠牲を払って、制御チャネルにおける低いシグナリングオーバーヘッドと高い復号性能とを提供する。ただし、この方法はＬＴＥシステムとの互換性がない。
【００４８】
[0057]ＩＭＴアドバンストＵＥのためにＣＡが使用されるとき、複数のセルにわたるハンドオーバプロシージャ中に送信連続性をサポートすることが好ましい。しかしながら、特定のＣＡ構成およびサービス品質（ＱｏＳ）要件とともに、受信ＵＥ（incoming UE）のために十分なシステムリソース（すなわち、良好な送信品質をもつコンポーネントキャリア）を確保することが、次のｅノードＢにとって難しいことがある。この理由は、２つ（またはそれ以上）の隣接するセル（ｅノードＢ）のチャネル状態が、特定のＵＥについて異なり得るからである。１つの手法では、ＵＥは、各隣接セルにおいてただ１つのコンポーネントキャリアのパフォーマンスを測定する。これは、ＬＴＥシステムにおけるのと同様の測定遅延、複雑さ、およびエネルギー消費を与える。対応するセルにおける他のコンポーネントキャリアのパフォーマンスの推定は、この１つのコンポーネントキャリアの測定結果に基づき得る。この推定に基づいて、ハンドオーバ決定および送信構成が判断され得る。
【００４９】
[0058]様々な例によれば、（キャリアアグリゲーションとも呼ばれる）マルチキャリアシステムにおいて動作しているＵＥは、「１次キャリア」と呼ばれることがある同じキャリア上で、制御機能およびフィードバック機能など、複数のキャリアのいくつかの機能をアグリゲートするように構成される。サポートのために１次キャリアに依存する残りのキャリアは、関連する２次キャリアと呼ばれる。たとえば、ＵＥは、随意の専用チャネル（ＤＣＨ）、スケジュールされない許可（nonscheduled grants）、物理アップリンク制御チャネル（ＰＵＣＣＨ）、および／または物理ダウンリンク制御チャネル（ＰＤＣＣＨ）によって提供される制御機能などの制御機能をアグリゲートし得る。シグナリングおよびペイロードは、ダウンリンク上でｅノードＢによってＵＥに、ならびにアップリンク上でＵＥによってｅノードＢに送信され得る。
【００５０】
[0059]いくつかの例では、複数の１次キャリアが存在し得る。さらに、ＬＴＥ  ＲＲＣプロトコルの３ＧＰＰ技術仕様３６．３３１におけるものなど、レイヤ２プロシージャおよびレイヤ３プロシージャである物理チャネル確立およびＲＬＦプロシージャを含む、ＵＥの基本動作に影響を及ぼすことなしに、２次キャリアが追加または削除され得る。
【００５１】
[0060]図９に、一例による、物理チャネルをグループ化することによって複数キャリアワイヤレス通信システムにおいて無線リンクを制御するための方法９００を示す。図示のように、本方法は、ブロック９０５において、１次キャリアと、１つまたは複数の関連する２次キャリアとを形成するために、少なくとも２つのキャリアからの制御機能を１つのキャリア上にアグリゲートすることを含む。次にブロック９１０において、１次キャリアと各２次キャリアとのための通信リンクが確立される。次いで、ブロック９１５において、１次キャリアに基づいて通信が制御される。
【００５２】
[0061]上記で説明したように、ＵＥは、複数のコンポーネントキャリア（ＣＣ）で構成され得る。１つのコンポーネントキャリアは１次コンポーネントキャリア（ＰＣＣ：primary component carrier）として指定され得、他のコンポーネントキャリアは２次コンポーネントキャリア（ＳＣＣ：secondary component carrier）として指定され得る。１次コンポーネントキャリアは、ＵＥごとに上位レイヤ（higher layers）を介して半静的に（semi-statically）構成され得る。一般に、物理アップリンク制御チャネル（ＰＵＣＣＨ）など、アップリンク制御チャネル上で送信されるとき、ＡＣＫ／ＮＡＫとチャネル品質インジケータ（ＣＱＩ：channel quality indicator）とスケジューリング要求（ＳＲ：scheduling request）とは１次コンポーネントキャリア上で送信される。２次コンポーネントキャリアはアップリンク制御チャネルを送信しない。５対１のダウンリンク対アップリンクコンポーネントキャリアマッピング比が考えられる。すなわち、１つのＵＬコンポーネントキャリアは、最高５つのダウンリンクコンポーネントキャリアのためのアップリンク制御チャネル上のＡＣＫ／ＮＡＫ送信をサポートし得る。
【００５３】
[0062]キャリアアグリゲーションをサポートするネットワークなど、いくつかのＬＴＥネットワークでは、周期チャネル状態情報（ＣＳＩ）報告と非周期（aperiodic）ＣＳＩ報告の両方がサポートされ得る。ＣＳＩ報告は、チャネル品質インジケータ（ＣＱＩ）（広帯域および／またはサブバンド）、プリコーディング行列インジケータ（ＰＭＩ）、プリコーディングタイプインジケータ、および／またはランクインジケータ（rank indicator）（ＲＩ）を含み得る。一般に、報告は、１つのサブフレーム中のただ１つのダウンリンクコンポーネントキャリアのためのものである。ダウンリンクコンポーネントキャリアは、優先度に従って判断される。特に、コンポーネントキャリアは、報告タイプに基づいて優先度を付けられる。
【００５４】
[0063]より詳細には、ＣＱＩ／ＰＭＩおよびＲＩ報告タイプは、以下のようにサポートされ得る。タイプ１はＵＥ選択サブバンド（UE selected sub-bands）のためのサポートＣＱＩフィードバックを報告し、タイプ１ａはサポートサブバンドＣＱＩおよび第２のＰＭＩフィードバックを報告し、タイプ２、タイプ２ｂ、およびタイプ２ｃはサポート広帯域ＣＱＩおよびＰＭＩフィードバックを報告し、タイプ２ａはサポート広帯域ＰＭＩフィードバックを報告し、タイプ３はサポートＲＩフィードバックを報告し、タイプ４はサポート広帯域ＣＱＩを報告し、タイプ５はサポートＲＩおよび広帯域ＰＭＩフィードバックを報告し、タイプ６はサポートＲＩおよびＰＴＩフィードバックを報告する。報告タイプ３、５、６、および２ａは最高優先度を与えられる。報告タイプ２、２ｂ、２ｃ、および４は、最高優先度よりも低い優先度を与えられる。最後に、報告タイプ１および１ａは最低優先度を与えられる。場合によっては、報告モード／タイプが異なるダウンリンクコンポーネントキャリアについて同じであるとき、ダウンリンクコンポーネントキャリアは、ダウンリンクコンポーネントキャリア間の無線リソース制御構成優先度（radio resource control-configured priority）に基づいて優先度を付けられる。
【００５５】
[0064]上述の優先度ルールは、物理アップリンク共有チャネル（ＰＵＳＣＨ）などのアップリンク共有チャネルが存在するかどうかにかかわらず適用され得る。上述の優先度に基づいてダウンリンクコンポーネントキャリアを選択した後に、他のダウンリンクコンポーネントキャリアについての報告は廃棄され得る。さらに、選択されたダウンリンクコンポーネントキャリアについて、同じコンポーネントキャリアのためのランクインジケータと広帯域ＣＱＩ／ＰＭＩとサブバンドＣＱＩとの間の衝突を解決するための典型的なＬＴＥリリース８手順が適用され得る。
【００５６】
[0065]非周期ＣＳＩフィードバックは、キャリアアグリゲーションシステムのために企図される。この場合、ＵＥ固有探索空間のためにアップリンク許可（uplink grants）（たとえば、非周期ＣＳＩ要求フィールド）中で２ビットが定義されている。特に、その２ビットは、３つの異なるＣＳＩ報告方式を指定する。すなわち、フィールド「００」は、ＣＳＩ報告が指定されないことを示す。フィールド「０１」は、アップリンクコンポーネントキャリアにＳＩＢ２リンクされたダウンリンクコンポーネントキャリアがＣＳＩを報告するために使用されることを示す。フィールド「１０」および「１１」は、ＣＳＩ報告が無線リソース制御（ＲＲＣ）シグナリングによって構成されたことを指定する。
【００５７】
[0066]共通探索空間の場合、アップリンク許可中に１ビットが与えられる。特に、共通探索空間の場合、「０」は、ＣＳＩ報告がトリガされないことを示し、「１」は、ＣＳＩ報告が無線リソース制御（ＲＲＣ）シグナリングによって構成されたことを示す。無線リソース制御（ＲＲＣ）シグナリングは、最高５つのコンポーネントキャリアの任意の組合せを構成し得る。
【００５８】
[0067]フォーマット３アップリンク制御チャネル（format 3 uplink control channel）を使用したＡＣＫ／ＮＡＫフィードバックの場合、キャリアアグリゲーションシステムにおけるＦＤＤの場合のＡＣＫ／ＮＡＫのために最高１０ビットが指定され得る。特に、ビット数は、各コンポーネントキャリアのために構成された送信モード（Ｋ＿ＭＩＭＯ）とコンポーネントキャリアの数（Ｎ）とに依存し得る。たとえば、各コンポーネントキャリアについて１つのＭＩＭＯ構成が指定された（たとえば、Ｋ＿ＭＩＭＯが２に等しい）とき、および５つのコンポーネントキャリアが指定されたとき、ＦＤＤのために指定されるＡＣＫ／ＮＡＫビット数は１０であり得る。すなわち、ＡＣＫ／ＮＡＫビット数は、コンポーネントキャリアの数（Ｎ）と各コンポーネントキャリアについて構成された送信モードとの積（product）である。
【００５９】
[0068]ＴＤＤの場合、ＡＣＫ／ＮＡＫビット数は、各コンポーネントキャリアについて構成された送信モード（Ｋ＿ＭＩＭＯ）と、コンポーネントキャリアの数（Ｎ）と、ＡＣＫ／ＮＡＫフィードバックのためのアップリンクサブフレームに関連するダウンリンクサブフレームの最大数（Ｍ）との積である。たとえば、各コンポーネントキャリアについて１つのＭＩＭＯ構成が指定され（たとえば、Ｋ＿ＭＩＭＯが２に等しい）、２つのコンポーネントキャリアが指定され、Ｍが９に等しくなるようにＴＤＤダウンリンク／アップリンクサブフレーム構成が５であるとき、３６個のＡＣＫ／ＮＡＫビットが使用されることになる（たとえば、３６は２（Ｋ＿ＭＩＭＯ）と２（Ｎ）と９（Ｍ）との積である）。
【００６０】
[0069]ＰＵＣＣＨフォーマット３は、ＵＥがＡＣＫ／ＮＡＫフィードバックを送信するために構成され得る。ＦＤＤの場合、ＰＵＣＣＨフォーマット３は、２つ以上のコンポーネントキャリアが構成されたときに構成される。ＴＤＤの場合、ＰＵＣＣＨフォーマット３は、１つまたは複数のコンポーネントキャリアが指定されたときに構成される。
【００６１】
[0070]ＴＤＤの場合、ＡＣＫ／ＮＡＫビット数が２０を超えたとき、空間バンドリング（spatial bundling）が適用される。たとえば、各コンポーネントキャリアについて１つのＭＩＭＯ構成が指定され（たとえば、Ｋ＿ＭＩＭＯが２に等しい）、１つのコンポーネントキャリアが指定され、Ｍが９に等しくなるようにＴＤＤダウンリンク／アップリンクサブフレーム構成が５であるとき、空間バンドリングは構成されない。すなわち、本例では（値Ｋ＿ＭＩＭＯ（２）と、コンポーネントキャリアの数（１）と、ＡＣＫ／ＮＡＫフィードバックのためのアップリンクサブフレームに関連するダウンリンクサブフレームの数（９）とに基づいて）ＡＣＫ／ＮＡＫペイロードのサイズは１８ビットである。したがって、本例では、ＡＣＫ／ＮＡＫペイロードのサイズが２０ビットよりも少ないので、ＡＣＫ／ＮＡＫがＰＵＣＣＨフォーマット３上で送信されたとき、空間バンドリングは指定されない。
【００６２】
[0071]別の例では、ＡＣＫ／ＮＡＫペイロードのサイズは３６ビットであり得、したがって、空間バンドリングがＡＣＫ／ＮＡＫペイロードのために指定される。特に、本例では、各コンポーネントキャリアについて１つのＭＩＭＯ構成が使用され（たとえば、Ｋ＿ＭＩＭＯが２に等しい）、２つのコンポーネントキャリアが指定され、Ｍが９になるようにＴＤＤダウンリンク／アップリンクサブフレーム構成５が使用される。すなわち、本例では、値Ｋ＿ＭＩＭＯ（２）と、コンポーネントキャリアの数（２）と、ＡＣＫ／ＮＡＫフィードバックのためのアップリンクサブフレームに関連するＤＬサブフレームの数（９）とに基づいて、ＡＣＫ／ＮＡＫペイロードのサイズは３６ビットである。この例では、ＡＣＫ／ＮＡＫペイロードのサイズが２０ビットよりも大きいので、各コンポーネントキャリア中の各サブフレームについて空間バンドリングが適用される。本例では、空間バンドリングが適用されるとき、ＡＣＫ／ＮＡＫがＰＵＣＣＨフォーマット３を用いて送信されるときに各サブフレームについて１８ビットが割り振られる。
【００６３】
[0072]周期ＣＳＩの場合、１つのコンポーネントキャリアは特定の時間に報告される。したがって、ＣＳＩは、異なるコンポーネントキャリア間の衝突によりドロップされ（be dropped）得る。衝突は、拡張された報告周期性または遅延を生じ得る。場合によっては、同時アップリンク制御チャネルおよびアップリンク共有チャネル（たとえば、データチャネル）が構成されず、アップリンク制御チャネル上のマルチコンポーネントキャリアＡＣＫ／ＮＡＫと周期ＣＳＩとの間にも衝突があるとき、周期ＣＳＩはドロップされ得る。周期ＣＳＩは、同時ＡＣＫ／ＮＡＫおよびＣＱＩが許容されるときでもドロップされ得る。さらに、周期ＣＳＩは、ＵＥがＰＵＣＣＨフォーマット３で構成されたかどうかにかかわらずドロップされ得る。ＬＴＥリリース８では、周期ＣＳＩとＡＣＫ／ＮＡＫの両方が送信されることになっており、アップリンク共有チャネル送信がないとき、周期ＣＳＩおよびＡＣＫ／ＮＡＫは、同時ＡＣＫ／ＮＡＫおよびＣＱＩが構成された場合にフォーマット２ａ／２ｂを使用してＰＵＣＣＨ上で送信される。場合によっては、周期ＣＳＩはドロップされることになる。
【００６４】
[0073]周期ＣＳＩを過剰にドロップすることは、ダウンリンクスケジューリングに影響を及ぼし、したがってダウンリンクスループットに影響を及ぼすことがある。１つの報告中でマルチコンポーネントキャリアのためのチャネル情報を取り出すために非周期ＣＳＩが指定され得るが、非周期ＣＳＩは制御チャネルオーバーヘッドを招く。
【００６５】
[0074]本開示によれば、ＰＵＣＣＨフォーマット３または変更バージョンは、ＡＣＫ／ＮＡＫとマルチプレクスされた（multiplexed）マルチコンポーネントキャリア周期ＣＳＩフィードバックをサポートするように指定され得る。マルチプレクスされたマルチコンポーネントキャリア周期ＣＳＩフィードバックとＡＣＫ／ＮＡＫとをサポートするためにＰＵＣＣＨフォーマット３を使用することは、周期ＣＳＩのドロップを低減する。ＰＵＣＣＨフォーマット３はまた、リソースグラニュラリティ（resource granularity）を改善し、典型的なアップリンク制御チャネル設計に従い得る。さらに、周期ＣＳＩフィードバックのための限られた容量とＡＣＫ／ＮＡＫビットとがあり得る。特に、ＰＵＣＣＨフォーマット３のための典型的なペイロードサイズは２１ビットに制限される。しかしながら、周期ＣＳＩがＡＣＫ／ＮＡＫフィードバックとマルチプレクスされることを可能にされた場合、ＰＵＣＣＨフォーマット３容量は、より大きく、たとえば、２２ビットなどになり得る。
【００６６】
[0075]別の態様では、ＰＵＳＣＨなど、共有アップリンクチャネルは、マルチコンポーネントキャリア周期ＣＳＩフィードバック（multi-component carrier periodic CSI feedback）およびＡＣＫ／ＮＡＫマルチプレクスをサポートするように指定され得る。マルチコンポーネントキャリア周期ＣＳＩフィードバックおよびＡＣＫ／ＮＡＫマルチプレクスをサポートするために共有アップリンクチャネルを使用することは、容量を増加させる。さらに、共有アップリンクチャネルを使用することは、リソースグラニュラリティを低減し、オーバーヘッドを増加させ得る。
【００６７】
[0076]上記で説明したように、典型的なＬＴＥネットワークでは、物理アップリンク制御チャネル（ＰＵＣＣＨ）など、アップリンク制御チャネルは、チャネル状態情報、およびＡＣＫ／ＮＡＫ情報、ならびに１ビットスケジューリング要求を送信し得る。場合によっては、ＰＵＣＣＨフォーマット３は、周期ＣＳＩとＡＣＫ／ＮＡＫとスケジューリング要求（ＳＲ）とを送信するように指定され得る。しかしながら、場合によっては、（時分割複信（ＴＤＤ）システム内の）この情報のためのペイロードサイズは、フォーマット３の容量限界を超え得る。
【００６８】
[0077]一構成では、周期ＣＳＩがＡＣＫ／ＮＡＫフィードバックとマルチプレクスされるのを許容されたとき、ＰＵＣＣＨフォーマット３のためのペイロードサイズは２１ビットから２２ビットに増加する。すなわち、ＰＵＣＣＨフォーマット３は、最高１０個のＡＣＫ／ＮＡＫビットと、最高１１個の周期ＣＳＩビットと、１つのスケジューリング要求ビットとを含み得る。また、ＴＤＤシステムの場合、単一のコンポーネントキャリアのみが指定されたときでも、ＡＣＫ／ＮＡＫビット数は１０ビットを超え得る。
【００６９】
[0078]一般に、ＡＣＫ／ＮＡＫのための空間バンドリングは、固定しきい値（たとえば、２０ビット）に基づいており、周期ＣＳＩを考慮しない。ＡＣＫ／ＮＡＫビット数が固定しきい値を超えたとき、ＡＣＫ／ＮＡＫビットは空間的にバンドルされる。さらに、ＡＣＫ／ＮＡＫのための空間バンドリングが指定された（たとえば、２０ビットしきい値を超えたときに空間バンドリングを適用する）場合、（互いにマルチプレクスされる）周期ＣＳＩとＡＣＫ／ＮＡＫとスケジューリング要求とは、多くのＴＤＤアップリンク／ダウンリンク構成のためにＰＵＣＣＨフォーマット３によって割り振られたビット内に収まらないことがある。
【００７０】
[0079]したがって、本開示の一態様は、ＡＣＫ／ＮＡＫと周期ＣＳＩとスケジューリング要求とをバンドルすること（bundling）を対象とする。一構成では、バンドリングを実行する決定は、周期ＣＳＩの構成、周期ＣＳＩの存在、周期ＣＳＩとＡＣＫ／ＮＡＫとがマルチプレクスされることを可能にされるかどうか、および／または周期ＣＳＩのペイロードサイズに基づき得る。すなわち、周期ＣＳＩがＵＥのために構成された場合、ＡＣＫ／ＮＡＫバンドリングは、固定しきい値を使用してすべてのアップリンクサブフレームについて実行され得る。固定しきい値は、ＰＵＣＣＨフォーマット３によって割り振られた容量と、１ビットスケジューリング要求ペイロードと、仮定された最大周期ＣＳＩペイロードとに基づき得る。特に、固定しきい値は、ＰＵＣＣＨフォーマット３によって割り当てられた容量と、１ビットスケジューリング要求ペイロードと、仮定された最大周期ＣＳＩペイロードとの間の差である。
【００７１】
[0080]たとえば、ＰＵＣＣＨフォーマット３の容量が２２ビットであり、最大周期ＣＳＩペイロードサイズが１１ビットであり、ＳＲペイロードが１ビットであるとき、ＡＣＫ／ＮＡＫバンドリングについての固定しきい値は１０ビットである。すなわち、本例では、固定しきい値は、ＰＵＣＣＨフォーマット３の容量（２２ビット）と、最大周期ＣＳＩペイロードサイズ（１１ビット）と、スケジューリング要求ペイロード（１ビット）との間の差である。したがって、一構成では、ＡＣＫ／ＮＡＫビット数が固定しきい値を超えたとき、ＡＣＫ／ＮＡＫビットはバンドルされる。
【００７２】
[0081]別の例では、（周期ＣＳＩは、ＡＣＫ／ＮＡＫとマルチプレクスされることが許容されないので）ＰＵＣＣＨフォーマット３の容量が２１ビットであり、最大周期ＣＳＩペイロードサイズが１１ビットであり、ＳＲペイロードが１ビットであるとき、ＡＣＫ／ＮＡＫバンドリングについての固定しきい値は９ビットである。すなわち、本例では、固定しきい値は、ＰＵＣＣＨフォーマット３の容量（２１ビット）と、最大周期ＣＳＩペイロードサイズ（１１ビット）と、スケジューリング要求ペイロード（１ビット）との間の差である。したがって、一構成では、ＡＣＫ／ＮＡＫビット数が固定しきい値を超えたとき、ＡＣＫ／ＮＡＫビットはバンドルされる。
【００７３】
[0082]場合によっては、固定しきい値は、すべてのアップリンクサブフレームについて不必要に低いことがある。特に、場合によっては、周期ＣＳＩフィードバックは送信されない。したがって、ＡＣＫ／ＮＡＫビットは、周期ＣＳＩフィードバックを含まないサブフレーム中で不必要にバンドルされ得る。Ｔ
[0083]したがって、別の構成では、ＡＣＫ／ＮＡＫバンドリングしきい値は、サブフレーム依存であり得る。すなわち、周期ＣＳＩフィードバックを含まないサブフレームの場合、しきい値は、２０ビットなどの固定値であり得る。さらに、周期ＣＳＩフィードバックを含むサブフレームの場合、しきい値は、仮定された最大周期ＣＳＩペイロード値または実際の周期ＣＳＩペイロード値のいずれかに基づき得る。
【００７４】
[0084]前に説明したように、一構成では、しきい値は、周期ＣＳＩの仮定された最大ペイロードサイズに基づき得る。特に、一構成では、周期ＣＳＩの仮定された最大ペイロードサイズは１１ビットである。したがって、ＰＵＣＣＨフォーマット３のための２２ビットサイズに基づいて、最大周期ＣＳＩペイロードがしきい値を計算するために使用されるとき、すべての周期ＣＳＩサブフレームについてのしきい値として１０ビットが割り振られ（be allocated）得る。もちろん、周期ＣＳＩの仮定された最大ペイロードサイズ１１ビットは一例であり、様々な基準に基づいて周期ＣＳＩのための他の最大ペイロードサイズが仮定され得る。
【００７５】
[0085]しきい値はサブフレーム依存であり、周期ＣＳＩの実際のペイロードサイズに基づいて判断され得る。すなわち、ＡＣＫ／ＮＡＫバンドリングについてのしきい値は、ＰＵＣＣＨフォーマット３の容量と、スケジューリング要求ペイロード（１ビット）と、実際の周期ＣＳＩペイロードサイズとの間の差である。本構成では、周期ＣＳＩがＡＣＫ／ＮＡＫフィードバックとマルチプレクスされることを可能にされるとき、ＰＵＣＣＨフォーマット３の容量は２２ビットである。さらに、本開示のこれらの態様は、ＰＵＣＣＨフォーマット３のための他のサイズを企図する。
【００７６】
[0086]本構成に基づいて、一例では、ＰＵＣＣＨフォーマット３の容量が２２ビットであり、ＳＲペイロードが１ビットであり、実際の周期ＣＳＩペイロードサイズが３ビットである（たとえば、ランク情報のみを搬送する）場合、ＡＣＫ／ＮＡＫバンドリングについてのしきい値は１７ビット（たとえば、ＰＵＣＣＨフォーマット３の容量（２２ビット）と、ＳＲペイロード（１ビット）と、実際の周期ＣＳＩペイロードサイズ（３ビット）との間の差）である。本例によれば、ＡＣＫ／ＮＡＫペイロードのサイズが１７ビットよりも大きいとき、空間バンドリングは実行される。
【００７７】
[0087]別の例では、ＰＵＣＣＨフォーマット３の容量が２１ビットであり（周期ＣＳＩとＡＣＫ／ＮＡＫとのマルチプレクスが許可されない）、ＳＲペイロードが１ビットであり、実際の周期ＣＳＩペイロードサイズが３ビットである（たとえば、ランク（rank）情報のみを搬送する）場合、ＡＣＫ／ＮＡＫバンドリングについてのしきい値は１６ビット（たとえば、ＰＵＣＣＨフォーマット３の容量（２１ビット）と、ＳＲペイロード（１ビット）と、実際の周期ＣＳＩペイロードサイズ（３ビット）との間の差）である。本例によれば、ＡＣＫ／ＮＡＫペイロードのサイズが１６ビットよりも大きいとき、空間バンドリングは実行される。
【００７８】
[0088]また別の例では、ＰＵＣＣＨフォーマット３での割り振られた容量が２２ビットであり、スケジューリング要求ペイロードが１ビットであり、実際の周期ＣＳＩペイロードサイズが１１ビットである場合、バンドリングについてのしきい値は１０ビットである。すなわち、しきい値は、ＰＵＣＣＨフォーマット３の容量（２２ビット）と、ＳＲペイロード（１ビット）と、実際の周期ＣＳＩペイロードサイズ（１１ビット）との間の差である。本例によれば、ＡＣＫ／ＮＡＫペイロードのサイズが１０ビットよりも大きいとき、空間バンドリングは実行される。
【００７９】
[0089]本構成によれば、ＡＣＫ／ＮＡＫペイロードが判断されたしきい値よりも大きいとき、空間バンドリングはＡＣＫ／ＮＡＫペイロードに適用され得る。その上、本構成では、周期ＣＳＩペイロードは、空間バンドリングが適用された後にＡＣＫ／ＮＡＫペイロードのサイズが判断されたしきい値よりもさらに大きい場合、ＰＵＣＣＨフォーマット３ペイロードから廃棄され得る。
【００８０】
[0090]さらに、別の構成では、ＡＣＫ／ＮＡＫペイロードが判断されたしきい値よりも大きく、バンドリングパラメータが上位レイヤを介してアクティブにされたとき、空間バンドリングは実行され得る。たとえば、バンドリングパラメータは、同時ＡＣＫ／ＮＡＫおよびＣＱＩバンドリングが可能にされるかどうかを指定するパラメータであり得る。特に、本例に基づいて、ＡＣＫ／ＮＡＫペイロードが判断されたしきい値よりも大きく、バンドリングパラメータがｔｒｕｅに設定されたとき、空間バンドリングは可能にされ得る。
【００８１】
[0091]別の構成では、空間バンドリングは常に適用される。特に、周期ＣＳＩがサブフレーム中に存在するとき、そのサブフレーム中で送信のために設定されたＡＣＫ／ＮＡＣＫビットのために空間バンドリングが実行される。すなわち、周期ＣＳＩペイロードサイズ、ＡＣＫ／ＮＡＫペイロードサイズ、またはスケジューリング要求ペイロードにかかわらず、空間バンドリングは実行され得る。
【００８２】
[0092]空間バンドリングに加えて、またはそれの代わりに他のタイプのバンドリングも考慮され得る。たとえば、サブフレームバンドリング、時間領域バンドリング、またはコンポーネントキャリアバンドリングが、空間バンドリングに加えて、またはそれの代わりに指定され得る。バンドリングは、すべてのサブフレームおよび／またはコンポーネントキャリアに適用され得る。
【００８３】
[0093]また別の構成では、空間バンドリングは、サブフレームまたはコンポーネントキャリアのサブセットに適用され得る。この例では、２つのコンポーネントキャリアが、ＭＩＭＯで構成される各コンポーネントキャリアで指定される。さらに、３つのダウンリンクサブフレームは、ＡＣＫ／ＮＡＫフィードバックのための１つのアップリンクサブフレームに関連する。したがって、この例では、１２個のＡＣＫ／ＮＡＫビットが使用される（２×３×２）。すなわち、ＡＣＫ／ＮＡＫビットは、コンポーネントキャリアの数とＭＩＭＯレイヤの数とサブフレームの数との積に基づいて計算される。より詳細には、本例では、ＡＣＫ／ＮＡＫビットは、２つのコンポーネントキャリアと３つのサブフレームと２つのＭＩＭＯレイヤとに基づいて計算される。
【００８４】
[0094]さらに、本例では、バンドリングしきい値が１０ビットである場合、空間バンドリングはすべてのサブフレームと両方のコンポーネントキャリアとのために実行され得る。空間バンドリングを実行した後、ＡＣＫ／ＮＡＫサイズは６ビットである。すなわち、ＡＣＫ／ＮＡＫサイズは、コンポーネントキャリアの数（２）とサブフレームの数（３）とＭＩＭＯレイヤの数（１）との積である。特に、空間バンドリングがすべてのコンポーネントキャリアにわたって実行されるので、ＭＩＭＯレイヤの数は２ではなく、今度は１である。
【００８５】
[0095]代替として、別の構成では、バンドリングは、２次コンポーネントキャリア（ＳＣＣ）など、ただ１つのキャリアのために実行され得る。前の例に基づいて、空間バンドリングが実行されたとき、ＡＣＫ／ＮＡＫバンドルのサイズは９ビットである。特に、ＡＣＫ／ＮＡＫバンドルのサイズは、空間バンドリングが実行されないときのコンポーネントキャリアの数（２）と１次キャリアのためのサブフレームの数（３）との積、および空間バンドリングが実行されたときのコンポーネントキャリアの数（１）と２次コンポーネントキャリアのためのサブフレームの数（３）との積の和に基づいて計算される。一構成では、バンドリングがコンポーネントキャリアのサブセットのためにのみ行われた場合、２次コンポーネントキャリアは１次コンポーネントキャリアの前にバンドルされることになる。
【００８６】
[0096]図１０に、本開示の一態様による、ＡＣＫ／ＮＡＫペイロードをバンドルするための方法１０００を示す。ブロック１００２において、ＵＥは、複数のコンポーネントキャリアのためのＡＣＫ／ＮＡＫビットと周期ＣＳＩとのマルチプレクスが可能にされるかどうかに少なくとも部分的に基づいて制御チャネルの容量を判断する。たとえば、ＵＥは、ＰＵＣＣＨフォーマット３の容量を判断し得る。さらに、ブロック１００４において、ＵＥは、周期ＣＳＩのペイロードサイズと判断された容量とに少なくとも部分的に基づいてＡＣＫ／ＮＡＫビット数についてのしきい値を判断する。前に説明したように、判断されたしきい値は変動し得る。
【００８７】
[0097]さらに、ブロック１００６において、ＵＥは、ＡＣＫ／ＮＡＫビット数が判断されたしきい値よりも大きいとき、ＡＣＫ／ＮＡＫビットをバンドルする。いくつかの態様では、バンドルすることは、空間バンドリング、時間領域バンドリング、またはコンポーネントキャリアバンドリングを含み得る。さらに他の態様では、バンドルすることは、サブフレームのサブセットまたはコンポーネントキャリアのサブセットにわたって実行され得る。最後に、ブロック１００８において、ＵＥは、制御チャネルを使用してＡＣＫ／ＮＡＫビットと周期ＣＳＩとを送信する。
【００８８】
[0098]一構成では、ＵＥ６５０は、ワイヤレス通信のために構成され、判断するための手段とバンドルするための手段とを含む。一構成では、バンドル手段および判断手段は、バンドル手段と判断手段とによって具陳される（recited）機能を実行するように構成されたコントローラ／プロセッサ６５９および／またはメモリ６６０であり得る。ＵＥはまた、送信するための手段を含み得る。一構成では、送信手段は、コントローラ／プロセッサ６５９、メモリ６６０、送信プロセッサ６６８、アンテナ６５２、および／または変調器６５４を含み得る。別の構成では、上述の手段は、上述の手段によって具陳された機能を実行するように構成された任意のモジュールまたは任意の装置であり得る。
【００８９】
[0099]図１１は、処理システム１１１４を採用する装置１１００のためのハードウェア実装形態の一例を示す図である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１２２によって表される１つまたは複数のプロセッサおよび／またはハードウェアモジュールと、モジュール１１０２、１１０４、１１０６と、コンピュータ可読媒体１１２６とを含む様々な回路を互いにリンクする。バス１１２４はまた、タイミングソース（timing sources）、周辺機器、電圧調整器、および電力管理回路など、様々な他の回路をリンクし得るが、これらの回路は当技術分野においてよく知られており、したがって、これ以上説明しない。
【００９０】
[00100]本装置は、トランシーバ１１３０に結合された処理システム１１１４を含む。トランシーバ１１３０は、１つまたは複数のアンテナ１１２０に結合される。トランシーバ１１３０は、伝送媒体を介して様々な他の装置と通信することを可能にする。処理システム１１１４は、コンピュータ可読媒体１１２６に結合されたプロセッサ１１２２を含む。プロセッサ１１２２は、コンピュータ可読媒体１１２６に記憶されたソフトウェアの実行を含む一般的な処理を担当する。ソフトウェアは、プロセッサ１１２２によって実行されたとき、処理システム１１１４に、いずれかの特定の装置について説明する様々な機能を実行させる。コンピュータ可読媒体１１２６はまた、ソフトウェアを実行するときにプロセッサ１１２２によって操作されるデータを記憶するために使用され得る。
【００９１】
[00101]処理システム１１１４は、コンポーネントキャリアのためのＡＣＫ／ＮＡＫビットと周期ＣＳＩとのマルチプレクスが可能にされるかどうかに少なくとも部分的に基づいて制御チャネルの容量を判断するための判断モジュール１１０２を含む。判断モジュール１１０２はまた、周期ＣＳＩのペイロードサイズと判断された容量とに少なくとも部分的に基づいてＡＣＫ／ＮＡＫビット数についてのしきい値を判断し得る。処理システム１１１４はまた、ＡＣＫ／ＮＡＫビット数が判断されたしきい値よりも大きいとき、ＡＣＫ／ＮＡＫビットをバンドルするためのバンドリングモジュール１１０４を含む。処理システム１１１４はまた、制御チャネルを使用してＡＣＫ／ＮＡＫビットと周期ＣＳＩとを送信するための送信モジュール１１０６を含み得る。それらのモジュールは、プロセッサ１１２２中で動作し、コンピュータ可読媒体１１２６中に常駐する／記憶された、ソフトウェアモジュールであるか、プロセッサ１１２２に結合された１つまたは複数のハードウェアモジュールであるか、またはそれらの何らかの組合せであり得る。処理システム１１１４は、ＵＥ６５０の構成要素であり得、メモリ６６０および／またはコントローラ／プロセッサ６５９を含み得る。
【００９２】
[00102]さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【００９３】
[00103]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９４】
[00104]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００９５】
[00105]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびｂｌｕ−ｒａｙディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００９６】
［00106]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断することと、
前記周期ＣＳＩのペイロードサイズと前記判断された容量とに少なくとも部分的に基づいてＡＣＫ／ＮＡＫビット数についてのしきい値を判断することと、
前記ＡＣＫ／ＮＡＫビット数が前記判断されたしきい値よりも大きいとき、ＡＣＫ／ＮＡＫビットをバンドルすることと、
前記制御チャネルを使用して前記ＡＣＫ／ＮＡＫビットと前記周期ＣＳＩとを送信することと
を備える、ワイヤレス通信の方法。
［Ｃ２］前記ペイロードサイズが実際の周期ＣＳＩペイロードサイズを備える、［Ｃ１］に記載の方法。
［Ｃ３］前記実際の周期ＣＳＩペイロードサイズが、広帯域チャネル品質インジケータ（ＣＱＩ）、サブバンドＣＱＩ、プリコーディング行列インジケータ（ＰＭＩ）、ランクインジケータ（ＲＩ）、またはプリコーディングタイプインジケータ（ＰＴＩ）のサイズに等しい、［Ｃ２］に記載の方法。
［Ｃ４］サブフレーム中の前記周期ＣＳＩが前記複数のコンポーネントキャリアのうちの１つのコンポーネントキャリアのためのものである、［Ｃ１］に記載の方法。
［Ｃ５］前記しきい値がサブフレームにわたって変動する、［Ｃ１］に記載の方法。
［Ｃ６］前記バンドルすることが空間バンドリングを備える、［Ｃ１］に記載の方法。
［Ｃ７］前記バンドルすることが、時間領域バンドリングまたはコンポーネントキャリアバンドリングのうちの少なくとも１つを備える、［Ｃ１］に記載の方法。
［Ｃ８］前記バンドルすることが、サブフレームのサブセットまたはコンポーネントキャリアのサブセットのうちの少なくとも１つにわたってバンドルすることを備える、［Ｃ１］に記載の方法。
［Ｃ９］前記容量を前記判断することは、
前記複数のコンポーネントキャリアのためのＡＣＫ／ＮＡＫビットと前記周期ＣＳＩとをマルチプレクスすることが可能にされるかどうかに少なくとも部分的に基づいて前記制御チャネルの第１の容量を判断することと、
前記複数のコンポーネントキャリアのためのＡＣＫ／ＮＡＫビットと前記周期ＣＳＩとをマルチプレクスすることが可能にされないかどうかに少なくとも部分的に基づいて前記制御チャネルの第２の容量を判断することと、前記第１の容量が前記第２の容量よりも大きい、
を備える、［Ｃ１］に記載の方法。
［Ｃ１０］前記複数のコンポーネントキャリアのためのＡＣＫ／ＮＡＫビットと前記周期ＣＳＩとをマルチプレクスすることが可能にされるかどうかを前記判断することは、半静的構成に少なくとも部分的に基づく、［Ｃ１］に記載の方法。
［Ｃ１１］前記ＡＣＫ／ＮＡＫビットが、前記複数のコンポーネントキャリアのうちの少なくとも１つのコンポーネントキャリア中の複数のサブフレームのためのものである、［Ｃ１］に記載の方法。
［Ｃ１２］前記制御チャネルを介してスケジューリング要求（ＳＲ）を送信することをさらに備える、［Ｃ１］に記載の方法。
［Ｃ１３］メモリと、
前記メモリに結合された少なくとも１つのプロセッサと
を備える、ワイヤレス通信のための装置であって、前記少なくとも１つのプロセッサは、
複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断することと、
前記周期ＣＳＩのペイロードサイズと前記判断された容量とに少なくとも部分的に基づいてＡＣＫ／ＮＡＫビット数についてのしきい値を判断することと、
前記ＡＣＫ／ＮＡＫビット数が前記判断されたしきい値よりも大きいとき、ＡＣＫ／ＮＡＫビットをバンドルすることと、
前記制御チャネルを使用して前記ＡＣＫ／ＮＡＫビットと前記周期ＣＳＩとを送信することと
を行うように構成された、装置。
［Ｃ１４］前記ペイロードサイズが実際の周期ＣＳＩペイロードサイズを備える、［Ｃ１３］に記載の装置。
［Ｃ１５］前記実際の周期ＣＳＩペイロードサイズが、広帯域チャネル品質インジケータ（ＣＱＩ）、サブバンドＣＱＩ、プリコーディング行列インジケータ（ＰＭＩ）、ランクインジケータ（ＲＩ）、またはプリコーディングタイプインジケータ（ＰＴＩ）のサイズに等しい、［Ｃ１４］に記載の装置。
［Ｃ１６］サブフレーム中の前記周期ＣＳＩが前記複数のコンポーネントキャリアのうちの１つのコンポーネントキャリアのためのものである、［Ｃ１３］に記載の装置。
［Ｃ１７］前記しきい値がサブフレームにわたって変動する、［Ｃ１３］に記載の装置。
［Ｃ１８］前記少なくとも１つのプロセッサが、空間バンドリングを介して前記ＡＣＫ／ＮＡＫビットをバンドルするようにさらに構成された、［Ｃ１３］に記載の装置。
［Ｃ１９］前記少なくとも１つのプロセッサが、時間領域バンドリングまたはコンポーネントキャリアバンドリングのうちの少なくとも１つを介して前記ＡＣＫ／ＮＡＫビットをバンドルするようにさらに構成された、［Ｃ１３］に記載の装置。
［Ｃ２０］前記少なくとも１つのプロセッサが、サブフレームのサブセットまたはコンポーネントキャリアのサブセットのうちの少なくとも１つにわたって前記ＡＣＫ／ＮＡＫビットをバンドルするようにさらに構成された、［Ｃ１３］に記載の装置。
［Ｃ２１］前記少なくとも１つのプロセッサは、
前記複数のコンポーネントキャリアのためのＡＣＫ／ＮＡＫビットと前記周期ＣＳＩとをマルチプレクスすることが可能にされるかどうかに少なくとも部分的に基づいて前記制御チャネルの第１の容量を判断することと、
前記複数のコンポーネントキャリアのためのＡＣＫ／ＮＡＫビットと前記周期ＣＳＩとをマルチプレクスすることが可能にされないかどうかに少なくとも部分的に基づいて前記制御チャネルの第２の容量を判断することと、前記第１の容量が前記第２の容量よりも大きい、
を行うようにさらに構成された、［Ｃ１３］に記載の装置。
［Ｃ２２］前記少なくとも１つのプロセッサは、半静的構成に少なくとも部分的に基づいて、前記複数のコンポーネントキャリアのためのＡＣＫ／ＮＡＫビットと前記周期ＣＳＩとをマルチプレクスすることが可能にされるかどうかを判断するようにさらに構成された、［Ｃ１３］に記載の装置。
［Ｃ２３］前記ＡＣＫ／ＮＡＫビットが、前記複数のコンポーネントキャリアのうちの少なくとも１つのコンポーネントキャリア中の複数のサブフレームのためのものである、［Ｃ１３］に記載の装置。
［Ｃ２４］前記少なくとも１つのプロセッサが、前記制御チャネルを介してスケジューリング要求（ＳＲ）を送信するようにさらに構成された、［Ｃ１３］に記載の装置。
［Ｃ２５］複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断するための手段と、
前記周期ＣＳＩのペイロードサイズと前記判断された容量とに少なくとも部分的に基づいてＡＣＫ／ＮＡＫビット数についてのしきい値を判断するための手段と、
前記ＡＣＫ／ＮＡＫビット数が前記判断されたしきい値よりも大きいとき、ＡＣＫ／ＮＡＫビットをバンドルするための手段と、
前記制御チャネルを使用して前記ＡＣＫ／ＮＡＫビットと前記周期ＣＳＩとを送信するための手段と
を備える、ワイヤレス通信のための装置。
［Ｃ２６］ワイヤレス通信のためのコンピュータプログラム製品であって、前記コンピュータプログラム製品が、
プログラムコードを記録した非一時的コンピュータ可読媒体を備え、前記プログラムコードは、
複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断するためのプログラムコードと、
前記周期ＣＳＩのペイロードサイズと前記判断された容量とに少なくとも部分的に基づいてＡＣＫ／ＮＡＫビット数についてのしきい値を判断するためのプログラムコードと、
前記ＡＣＫ／ＮＡＫビット数が前記判断されたしきい値よりも大きいとき、ＡＣＫ／ＮＡＫビットをバンドルするためのプログラムコードと、
前記制御チャネルを使用して前記ＡＣＫ／ＮＡＫビットと前記周期ＣＳＩとを送信するためのプログラムコードと
を備える、コンピュータプログラム製品。
【図１】
0005951882.tif 000002
【図２】
0005951882.tif 000003
【図３】
0005951882.tif 000004
【図４】
0005951882.tif 000005
【図５】
0005951882.tif 000006
【図６】
0005951882.tif 000007
【図７Ａ】
0005951882.tif 000008
【図７Ｂ】
0005951882.tif 000009
【図８】
0005951882.tif 000010
【図９】
0005951882.tif 000011
【図１０】
0005951882.tif 000012
【図１１】
0005951882.tif 000013